(57)【要約】【課題】  放電ランプの消灯後のファン騒音を小さくすることを可能にすると共に、従来に比べて使い勝手の向上させた投射型表示装置を提供する。【解決手段】  放電ランプから照射された光を用いて、投射手段により被投射面に画像を表示する投射型表示装置であって、前記放電ランプ及び／又は前記投射手段を冷却する冷却ファンと、前記冷却ファンを制御する制御回路部とを備え、前記制御回路部は、前記冷却ファンの複数の回転速度を格納するメモリと、前記メモリにより格納された前記複数の回転速度のうち所望の回転速度を選択する選択手段とを有しており、前記選択手段により選択された前記所望の回転速度に基づいて、前記冷却ファンの回転速度を変更することを特徴とする投射型表示装置を提供する。【選択図】          図１
2006106409.tif 000002
【特許請求の範囲】
【請求項１】
放電ランプから照射された光を用いて、投射手段により被投射面に画像を表示する投射型表示装置であって、
前記放電ランプ及び／又は前記投射手段を冷却する冷却ファンと、
前記冷却ファンを制御する制御回路部とを備え、
前記制御回路部は、前記冷却ファンの複数の回転速度を格納するメモリと、前記メモリにより格納された前記複数の回転速度のうち所望の回転速度を選択する選択手段とを有しており、前記選択手段により選択された前記所望の回転速度に基づいて、前記冷却ファンの回転速度を変更することを特徴とする投射型表示装置。
【請求項２】
前記制御回路部は、
前記選択手段が選択する回転速度に基づいて、前記放電ランプの冷却時間を決定する決定手段を更に有し、
前記決定手段に基づいて、前記放電ランプの冷却時間を制御することを特徴とする請求項１記載の投射型表示装置。
【請求項３】
前記制御回路部は、
前記放電ランプの点灯を命令する点灯命令手段を更に有し、
前記選択手段は、前記放電ランプの冷却中に前記点灯命令手段により点灯命令が出されると、最も高速な回転速度を選択することを特徴とする請求項１記載の投射型表示装置。
【請求項４】
前記放電ランプの冷却時間を表示する表示手段を更に有することを特徴とする請求項１記載の投射型表示装置。
【請求項５】
前記放電ランプの冷却が終了したことを通知する通知手段を更に有することを特徴とする請求項１記載の投射型表示装置。
【請求項６】
放電ランプから照射された光を用いて、投射手段により被投射面に画像を表示する投射型表示装置であって、
前記放電ランプ及び／又は前記投射手段を冷却する冷却ファンと、
前記放電ランプが消灯し、前記放電ランプが前記冷却ファンによって冷却された後に、前記冷却ファンを駆動させる駆動手段とを有することを特徴とする投射型表示装置。
【請求項７】
投射型表示装置用の放電ランプの冷却を制御する制御方法であって、
前記放電ランプの冷却中に前記放電ランプの点灯操作が行われたかどうか判断する判断ステップと、
前記判断ステップで前記放電ランプの点灯操作が行われたと判断された場合に、前記冷却ファンの回転速度をより高速な回転速度に変更する変更ステップと、
前記変更ステップで変更された前記冷却ファンの回転速度に基づいて、前記放電ランプの冷却時間を決定する決定ステップと、
前記決定ステップで決定された前記冷却時間が終了したときに、前記放電ランプを点灯させる点灯ステップとを有することを特徴とする制御方法。
【発明の詳細な説明】
【技術分野】
【０００１】
本発明は、一般には、投射型表示装置（透過型液晶プロジェクタや反射型液晶プロジェクタ）に係り、特に、放電ランプから照射された光を用いて画像を被投射面に表示する投射型表示装置に関する。本発明は、放電ランプの消灯後に、かかる放電ランプを冷却するクールダウン制御に好適である。
【背景技術】
【０００２】
近年、会議やプレゼンテーションなどの業務分野において、多数の人が同時にプレゼンテーション用の画像を見ることができるように、パソコン等の画面をスクリーンに表示する液晶プロジェクター等のプロジェクター（投射型表示装置）が用いられている。プロジェクターの光源に使用される放電ランプ（例えば、超高圧水銀ランプ）は、消灯直後非常に高温であり、その特性上、消灯直後の再点灯が難しい。放電ランプは、一般に、放電管を利用しているため、高温であると、電極の絶縁破壊に非常に高い電圧を必要としたり、非常に高い電圧によって電極が劣化してしまったりするからである。また、プロジェクターの後片付けや放電ランプの交換の際には、ユーザーが火傷してしまう危険性もあるため、少しでも早く放電ランプを冷却したい。
【０００３】
そこで、放電ランプを中心としたプロジェクターの内部の温度をいち早く低下させるために、放電ランプの消灯後、約１分乃至１分半程度の間、冷却ファンによる継続冷却を行っている（クールダウン制御）。なお、冷却ファンの回転速度（ファンスピード）は、冷却時間を短く抑えるために、通常、高速に設定されている。この結果、放電ランプの再点灯が可能な温度、或いは、プロジェクターの後片付け等ができる温度になるまでに必要とする冷却時間（即ち、クールダウン制御の時間）を短くすることができる。勿論、放電ランプの消灯後に急に冷却ファンを停止させると熱がこもり、プロジェクターの内部の温度が急激に上昇して、放電ランプ、光学系やその他の部材に悪影響を与えてしまうため、これを避けるためでもある。
【０００４】
これらの技術に関しては、従来から幾つか提案されている（例えば、特許文献１、２および３参照。）。
【特許文献１】特開平０４−３９４３号公報
【特許文献２】特開２００２−２８７２４９号公報
【特許文献３】特開２００３−１２１９２９号公報
【発明の開示】
【発明が解決しようとする課題】
【０００５】
しかしながら、従来技術では、放電ランプを消灯すると、放電ランプを冷却するために冷却ファンが高速で回転し、大きなファン騒音を発生させてしまう。そのまま会議を終了する場合には、大きなファン騒音が発生しても問題ない。一方、しばらくの間プロジェクターの表示画面を必要としないような議論となったときに、無駄な電力消費を抑えるため放電ランプを消灯する（又は、電源を切る）場合もある。このような場合には、消灯後のファン騒音は、たとえ約１分乃至１分半程度とはいえ大変煩わしく、議論の妨げとなる。なお、放電ランプを消灯せずにプロジェクターの画像表示をミュートさせることは可能である。しかし、画像表示（通常モード）時のファン騒音をなくすことはできず、加えて、通常モード時と同レベルの電力を放電ランプに供給し続けることは、放電ランプの寿命を縮めたり、供給電力を浪費したりすることになる。
【０００６】
また、従来技術では、放電ランプの冷却時間（例えば、クールダウン制御の残り時間）や、放電ランプの冷却が終了したことを通知する機能がないために、ユーザーが放電ランプの冷却状態を知ることができず、使い勝手が悪かった。
【０００７】
更に、放電ランプの消灯後の放電ランプの冷却時間は、プロジェクター毎に決められており、冷却時間が終了すると、ファンは停止する、或いは、ファン騒音が極めて小さい超低速で回転する状態になる。このとき、放電ランプの温度は、再点灯には支障のない温度になっているが、プロジェクターをケース内にしまえる温度までにはなっていない。このため、放電ランプの冷却が終了しても実際にケース内に片付けられる温度になるまでは、暫く自然放熱状態又は超低速で冷却ファンを回転させた状態で待たなければならなかった。
【０００８】
そこで、本発明は、放電ランプの消灯後のファン騒音を小さくすることを可能にすると共に、従来に比べて使い勝手の向上させた投射型表示装置を提供することを例示的目的とする。
【課題を解決するための手段】
【０００９】
上記目的を達成するために、本発明の一側面としての投射型表示装置は、放電ランプから照射された光を用いて、投射手段により被投射面に画像を表示する投射型表示装置であって、前記放電ランプ及び／又は前記投射手段を冷却する冷却ファンと、前記冷却ファンを制御する制御回路部とを備え、前記制御回路部は、前記冷却ファンの複数の回転速度を格納するメモリと、前記メモリにより格納された前記複数の回転速度のうち所望の回転速度を選択する選択手段とを有しており、前記選択手段により選択された前記所望の回転速度に基づいて、前記冷却ファンの回転速度を変更することを特徴とする。
【００１０】
本発明の別の側面としての投射型表示装置は、放電ランプから照射された光を用いて、投射手段により被投射面に画像を表示する投射型表示装置であって、前記放電ランプ及び／又は前記投射手段を冷却する冷却ファンと、前記放電ランプが消灯し、前記放電ランプが前記冷却ファンによって冷却された後に、前記冷却ファンを駆動させる駆動手段とを有することを特徴とする。
【００１１】
本発明の更に別の側面としての制御方法は、投射型表示装置用の放電ランプの冷却を制御する制御方法であって、前記放電ランプの冷却中に前記放電ランプの点灯操作が行われたかどうか判断する判断ステップと、前記判断ステップで前記放電ランプの点灯操作が行われたと判断された場合に、前記冷却ファンの回転速度をより高速な回転速度に変更する変更ステップと、前記変更ステップで変更された前記冷却ファンの回転速度に基づいて、前記放電ランプの冷却時間を決定する決定ステップと、前記決定ステップで決定された前記冷却時間が終了したときに、前記放電ランプを点灯させる点灯ステップとを有することを特徴とする。
【００１２】
本発明の更なる目的又はその他の特徴は、以下、添付図面を参照して説明される好ましい実施例によって明らかにされるであろう。
【発明の効果】
【００１３】
本発明によれば、放電ランプの消灯後のファン騒音を小さくすることを可能にすると共に、従来に比べて使い勝手の向上させた投射型表示装置を提供することができる。
【発明を実施するための最良の形態】
【００１４】
以下、添付図面を参照して、本発明の一側面としての表示装置について説明する。なお、各図において、同一の部材については同一の参照番号を付し、重複する説明は省略する。ここで、図１は、本発明の表示装置１００の構成を示す概略ブロック図である。
【００１５】
表示装置１００は、放電ランプ１１０から照射された光を用いて、投射手段により被投射面（スクリーン）に画像を表示する投射型表示装置である。表示装置１００は、本実施形態では、液晶プロジェクターであるが、ＣＲＴプロジェクター、ＤＬＰ（Ｄｉｇｉｔａｌ  Ｌｉｇｈｔ  Ｐｒｏｃｅｓｓｉｎｇ）プロジェクター等を含む。
【００１６】
図１を参照するに、１１０は、表示装置１００の光源として使用される放電ランプである。放電ランプ１１０は、表示画面を照明する。放電ランプ１１０は、本実施形態では、超高圧水銀ランプを用いる。但し、放電ランプ１１０は、超高圧水銀ランプに限定するものではなく、例えば、メタルハライドランプやキセノンランプなどの高輝度放電（ＨＩＤ：Ｈｉｇｈ  Ｉｎｔｅｎｓｉｔｙ  Ｄｉｓｃｈａｒｇｅ）ランプであってもよい。
【００１７】
１２０は、放電ランプ１１０の電力及び点灯の制御を行うバラストである。１３０は、放電ランプ１１０の温度又は放電ランプ１１０の近傍の温度を検出する温度センサーである。
【００１８】
１４０は、放電ランプ１１０及び／又は後述する画像投射部１５０（即ち、放電ランプ１１０の近傍）を冷却する冷却ファンである。冷却ファン１４０は、回転することによって放電ランプ１１０及び／又は画像投射部１５０を冷却し、後述する制御回路部１７０に制御され、回転速度を変更できるように構成される。
【００１９】
１５０は、液晶パネルを有し、制御回路部１７０からの画像信号に基づいて、放電ランプ１１０からの照明光を用いて図示しないスクリーンに表示画像を投射する画像投射部である。
【００２０】
１６０は、表示装置１００を構成する各部への電源を生成する電源部である。電源部１６０は、例えば、供給される商用電源（ＡＣ１００Ｖ）を基に、バラスト１２０の電源（例えば、ＤＣ３６０Ｖ）や制御回路部１７０の各種電圧電源（例えば、５Ｖ、１２Ｖ等）を生成する。
【００２１】
１７０は、制御回路部であり、パソコンやビデオ機器等から受信した投射画像信号の信号処理や、画像投射部１５０の一部を構成する液晶パネルへ送信する画像信号の生成や、放電ランプ１１０や画像投射部１５０が異常高温になったときにおけるバラスト１２０又は電源部１６０の動作の緊急停止などの制御を行う。
【００２２】
制御回路部１７０は、本実施形態では、冷却ファン１７０による放電ランプ１１０の冷却条件を制御することを特徴とする。制御回路部１７０は、温度センサー１３０から入力される放電ランプ１１０の温度や放電ランプ１１０の近傍の温度やその他の制御の状態を基に、冷却ファン１４０の回転速度及び冷却ファン１４０が放電ランプ１１０を冷却する冷却時間を制御する。制御回路部１７０は、図１に示すように、メモリ１７２と、選択手段１７４と、決定手段１７６と、操作部１７８とを有する。
【００２３】
メモリ１７２は、冷却ファン１４０の複数の回転速度を格納する。メモリ１７２は、例えば、冷却ファン１４０の回転速度として、「高速」、「中速」、「低速」を格納する。但し、メモリ１７２が格納する冷却ファン１４０の回転速度は３つに限らず、「超高速」、「超低速」などを加えた回転速度を格納してもよい。
【００２４】
選択手段１７４は、メモリ１７２が格納した複数の回転速度のうち、一の回転速度を選択する。選択手段１７４は、具体的には、操作部１７８からの指示に基づき、メモリ１７２に格納された冷却ファン１４０の回転速度を選択することで、冷却ファン１４０の回転速度を切り替えることができる。換言すれば、制御回路部１７０は、選択手段１７４が選択する回転速度に基づいて、冷却ファン１４０の回転速度を変更することができる。但し、選択手段１７４は、放電ランプ１１０の消灯直後は、メモリ１７４が格納する回転速度のうち、最も高速な回転速度を選択する。
【００２５】
決定手段１７６は、選択手段１７４が選択する冷却ファン１４０の回転速度に基づいて、放電ランプ１１０の冷却時間を決定する。放電ランプ１１０の冷却に必要な総風量（本実施形態では、風量＝冷却ファン１４０の回転速度×冷却ファン１４０の冷却時間とする。）は決まっているため、選択手段１７４が選択する回転速度に応じて、決定手段１７６が放電ランプ１１０の冷却時間を変更する必要がある。換言すれば、制御回路部１７０は、決定手段１７６に基づいて、放電ランプ１１０の冷却時間を制御する。なお、放電ランプ１１０の冷却時間の決定する際の具体的な算出については後で詳細に説明する。
【００２６】
操作部１７８は、表示装置１００の表面や赤外線リモコンとして具現化され、表示装置１００の動作に必要な操作を行うものである。操作部１７８は、本実施形態では、放電ランプ１１０の冷却中に、冷却ファン１４０の回転速度を変更する操作をする機能を有する。操作部１７８は、図２に示すように、電源スイッチ１７８ａと、メニューキー１７８ｂと、十字キー１７８ｃと、ＬＥＤ１７８ｄと、スピーカー１７８ｅとを有する。ここで、図２は、表示装置１００の操作部１７８の構成を模式的に示す概略平面図である。
【００２７】
電源スイッチ１７８ａは、放電ランプ１１０の点灯及び消灯を命令する点灯及び消灯命令を出す点灯命令手段としての機能を有する。具体的には、放電ランプ１１０の点灯中に電源スイッチ１７８ａが押されると放電ランプ１１０の消灯命令が出され、放電ランプ１１０の消灯中に電源スイッチ１７８ａが押されると放電ランプ１１０の点灯が出される。
【００２８】
メニューキー１７８ｂは、表示装置１００の動作に必要な各種設定画面（例えば、輝度設定、表示位置設定、キーストーン調整、冷却ファン１４０の回転速度設定など）を呼び出すことができる。なお、メニューキー１７８ｂが呼び出す設定画面は、表示装置１００が画像を投射するスクリーン等に表示される。
【００２９】
十字キー１７８ｃは、メニューキー１７８ｂが呼び出した設定画面において、各種設定項目を選択する。例えば、十字キー１７８ｃを操作することで、冷却ファンの回転速度を「高速」、「中速」、「低速」から選択することができる。
【００３０】
ＬＥＤ１７８ｄは、冷却ファン１４０の冷却時間を表示する表示手段としての機能を有する。ＬＥＤ１７８ｄは、本実施形態では、冷却ファン１４０の残りの冷却時間を表示し、ユーザーの使い勝手を向上させることができる。具体的には、ＬＥＤ１７８ｄの点滅回数で冷却ファン１４０の残りの冷却時間を表示することができるが、例えば、１回０．５秒ずつの点滅を１サイクルとし、残りの冷却時間１０秒に対してこの１サイクルをあて、且つ、そのサイクル数に１を加えた回数を実際のＬＥＤ１７８ｄの点滅周期とする。冷却ファン１４０の残りの冷却時間が６０秒の場合には、７回の点滅が１周期となる。これにより、ＬＥＤ１７８ｄの点滅周期の中に１回は必ず点滅しないサイクルが存在することになり、ＬＥＤ１７８ｄの点滅数のカウントが行い易くなる。
【００３１】
スピーカー１７８ｅは、放電ランプ１１０の冷却が終了したときに、例えば、軽い通知音を鳴らす。換言すれば、スピーカー１７８ｅは、冷却ファン１４０の冷却が終了したことを通知する通知手段としての機能を有する。これにより、ユーザーの使い勝手を向上させることができる。
【００３２】
ここで、図３を参照して、制御回路部１７０の動作（即ち、冷却ファン１４０による放電ランプ１１０の冷却の制御方法）について説明する。図３は、冷却ファン１４０の回転速度と放電ランプ１１０の冷却時間の制御方法について説明するためのフローチャートである。
【００３３】
図３を参照するに、まず、操作部１７０からの放電ランプ１１０の消灯操作、又は、異常処理等の制御によって、放電ランプ１１０の消灯命令が発生したかどうか判断する（ステップ１００２）。放電ランプ１１０の消灯命令がなく、放電ランプ１１０が点灯している場合には、画像表示時の通常モードの制御を継続する（ステップ１００４）。
【００３４】
放電ランプ１１０の消灯命令が発生している場合には、放電ランプ１１０を消灯し、放電ランプ１１０の冷却を開始する（ステップ１００６）。なお、この際の冷却ファン１４０の回転速度及び放電ランプ１１０冷却時間は、前回の放電ランプ１１０の冷却のときに設定された回転速度及びそれに対応した冷却時間で開始されることが好ましい。但し、本実施形態では、初めての動作時を想定し、初期設定の回転速度と冷却時間であるとする。通常、表示装置１００の放電ランプ１１０を消灯したユーザーは、放電ランプ１１０が冷却されるまでの冷却時間をまたなければならないために、初期設定の冷却時間は短時間を優先し、冷却ファン１４０の回転速度は、「高速」、冷却時間は、例えば、「６０秒」としている。
【００３５】
次いで、冷却ファン１１０の回転速度を変更するかどうか判断する（ステップ１００８）。放電ランプ１１０の冷却中、ファン騒音は大きくなるが、表示装置１００の使用が終了（即ち、会議が終了）されている場合には、特に問題となることはない。従って、冷却ファン１１０の回転速度は変更する必要がなく、後述するステップ１０１４に進む。しかし、会議の途中等で一時的に表示装置１００を使わない議論となる場合がある。このようなときに、表示装置１００の放電ランプ１１０を点灯したままにしてもよいが、放電ランプ１１０の点灯時も冷却ファン１４０は回転しているために継続してファン騒音が発生する（従って、議論の妨げとなる）と共に、無駄な電力も消費されるために、放電ランプ１１０は消灯することが好ましい。従って、ユーザーは、放電ランプ１１０を消灯するが、冷却ファン１４０の回転速度が初期設定のままでは、放電ランプ１１０を冷却中のファン騒音が放電ランプ１１０の点灯時と同等、或いは、それ以上に大きくなる（例えば、６０秒であっても、議論の妨げはより大きくなる）。
【００３６】
そこで、操作部１７８を操作して、ファン騒音が小さくなるように、放電ランプ１１０を冷却している冷却ファン１１０の回転速度を変更する（ステップ１０１０）。具体的には、操作部１７８の十字キー１７８ｃを操作することで、選択手段１７４を介して、メモリ１７２に格納された複数の回転速度のうちの一を選択する（例えば、「低速」）。なお、十字キー１７８ｃの１ステップ毎に冷却ファン１４０の回転速度を割り付けてもよいし、静寂モードと短時間冷却モードのようなモード切替方式にしてもよい。
【００３７】
冷却ファン１１０の回転速度が変更されると放電ランプ１１０を冷却する冷却時間も変更する必要が生じるため、決定手段１７４により、冷却時間を決定する（ステップ１０１２）。具体的には、放電ランプ１１０の冷却に必要な総風量を一定とし、冷却ファン１４０の回転速度（風量）と排熱量がほぼ比例するとして、以下の数式１に示す計算から放電ランプ１１０の冷却時間を決定する。但し、新しい冷却時間は、放電ランプ１１０を冷却する残りの冷却時間であることに注意されたい。
【００３８】
【数１】
2006106409.tif 000003
【００３９】
また、冷却ファン１４０の回転速度毎での総冷却時間を予め求めておくことで、以下の数式２に示す計算から放電ランプ１１０の冷却時間を決定することもできる。
【００４０】
【数２】
2006106409.tif 000004
【００４１】
変更した冷却ファン１４０の回転速度に対応した冷却時間が決定されると、残りの冷却時間（即ち、数式１及び数式２の左辺）をＬＥＤ１７８ｄに表示する（ステップ１０１４）。そして、放電ランプ１１０の冷却時間が終了すると（ステップ１０１６）、スピーカー１７８ｅを介して、放電ランプ１１０の冷却の終了を通知する（ステップ１０１８）。なお、放電ランプ１１０の冷却時間が終了するまでは、冷却ファン１４０の回転速度の変更に備えた状態にある（ステップ１００８に戻る）。放電ランプ１４０の冷却時間の表示や放電ランプ１４０の冷却が終了したことをユーザーに通知することで、放電ランプ１４０の冷却が終了するまでの間、ユーザーは他の作業を行うことができるので使い勝手が向上する。
【００４２】
このように、放電ランプ１１０の消灯後、放電ランプ１１０の冷却中に冷却ファン１４０の回転速度を変更し、ファン騒音を小さくすることができるので、例えば、一時的に表示装置１００が不要になった場合でも、放電ランプ１１０の冷却中のファン騒音を気にすることなく放電ランプ１１０を消灯することができる。
【００４３】
また、制御回路部１７０は、放電ランプ１１０の冷却中に、電源スイッチ１７８ａが押された（即ち、放電ランプ１１０の点灯命令が発生した）場合に、点灯命令があったことを記憶し、放電ランプ１１０の冷却が終了次第、自動的に放電ランプ１１０を点灯することができる機能も有する。
【００４４】
ここで、図４を参照して、放電ランプ１１０の冷却中に放電ランプ１１０の点灯命令が発生した場合の制御回路部１７０の動作について説明する。図４は、放電ランプ１１０の冷却中に放電ランプ１１０の点灯命令が発生した場合の制御方法について説明するためのフローチャートである。但し、図４においては、図３に示した冷却ファン１４０の回転速度と放電ランプ１１０の冷却時間の制御と併せて図示している。ステップ１００２乃至ステップ１０１８については、上述したステップと同様であるため、ここでの説明は省略し、新たに追加したステップ２００２乃至ステップ２０１４について説明する。
【００４５】
図４を参照するに、まず、放電ランプ１１０の冷却中に放電ランプ１１０の点灯命令が発生したか（即ち、操作部１７８の電源スイッチ１７８ａが押されたか）どうか判断する（ステップ２００２）。放電ランプ１１０の点灯命令が発生していない場合には、放電ランプ１１０の冷却後に点灯処理に入るための点灯フラグをＯＦＦ（０）とし（ステップ２００４）、冷却ファン１４０の回転速度はそのままでステップ１００８に進む。
【００４６】
放電ランプ１１０の点灯命令が発生している場合には、そのときの冷却ファン１４０の回転速度にかかわらず（即ち、強制的に）、冷却ファン１４０の回転速度をより高速な回転速度に変更する（ステップ２００６）。本実施形態では、例えば、冷却ファン１４０の回転速度を「高速」にする。ユーザーが放電ランプ１１０の点灯命令を発生させたということは、ファン騒音を気にするよりもできるだけ早く放電ランプ１１０の点灯を行いたい場合であり、放電ランプ１１０の冷却時間をできるだけ短時間にすることに重点が置かれるからである。また、点灯フラグをＯＮ（１）にする（ステップ２００８）。
【００４７】
次いで、放電ランプ１１０の冷却が終了すると（ステップ１０１２乃至ステップ１０１８）、点灯フラグがＯＮであるかどうか判断する（ステップ２０１０）。点灯フラグがＯＦＦであれば、放電ランプ１１０の点灯命令は発生していないので、そのまま終了する。点灯フラグがＯＮであれば、放電ランプ１１０の点灯命令が発生されているため、点灯フラグをＯＦＦにする（ステップ２０１２）と共に、放電ランプ１１０を点灯する（ステップ２０１４）。以後は、通常の放電ランプ１１０の点灯状態と同様の動作となる。
【００４８】
このように、放電ランプ１１０の冷却中に放電ランプ１１０の点灯命令が発生した場合に、冷却ファン１４０の回転速度が最も早い回転速度に自動的に変更されるため、最短の時間で放電ランプ１１０が点灯できる状態にすることができる。また、放電ランプ１１０の冷却が終了すると、自動的に放電ランプ１１０を点灯させることができるので、放電ランプ１１０の冷却の終了を気に掛ける必要がなくなり、使い勝手が向上する。
【００４９】
以下、図５を参照して、表示装置１００の変形例である表示装置２００について説明する。表示装置２００は、表示装置１００と比べて、制御回路部２７０に関して異なる。ここで、図５は、表示装置１００の変形例である表示装置２００の構成を示す概略ブロック図である。
【００５０】
表示装置２００は、放電ランプ１１０から照射された光を用いて、表示画像を被投射面に表示する投射型表示装置である。表示装置２００は、図５に示すように、放電ランプ１１０と、バラスト１２０と、温度センサー１３０と、冷却ファン１４０と、画像投射部１５０と、電源部１６０と、制御回路部２７０とを有する。
【００５１】
制御回路部２７０は、パソコンやビデオ機器等から受信した投射画像信号の信号処理や、画像投射部１５０の一部を構成する液晶パネルへ送信する画像信号の生成や、放電ランプ１１０や画像投射部１５０が異常高温になったときにおけるバラスト１２０又は電源部１６０の動作の緊急停止などの制御を行う。
【００５２】
制御回路部２７０は、回転制御手段２７２と、駆動手段２７４とを有する。なお、制御回路部２７０は、図５には図示していないが、メモリ１７２、選択手段１７４及び決定手段１７６を有し、制御回路部１７０と同様の機能を更に有してもよいのは言うまでもない。
【００５３】
制御回路部２７０は、冷却ファン１４０を制御する機能を有し、温度センサー１３０から入力される放電ランプ１１０の温度や放電ランプ１１０の近傍の温度やその他の制御の状態を基に、冷却ファン１４０の回転速度及び冷却ファン１４０が放電ランプ１１０を冷却する冷却時間を制御する。
【００５４】
駆動手段２７４は、放電ランプ１１０の消灯時、且つ、放電ランプ１１０が冷却ファン１４０によって冷却された後に、冷却ファン１４０を駆動（回転）させる機能を有する。駆動手段２７４は、具体的には、操作部１７８からの冷却ファン１４０の駆動命令に基づいて、冷却ファン１４０を駆動する。冷却ファン１４０は、放電ランプ１１０が点灯できる温度まで冷却すると停止するのが一般的である。しかし、放電ランプ１１０が点灯できる温度であっても、例えば、表示装置１００を片付けられる温度にまで冷却されているとは限らないため、駆動手段２７４によって冷却ファン１４０を駆動し、放電ランプ１４０を更に冷却できる構成にしている。これにより、放電ランプ１１０の消灯してから表示装置１００を片付けられる温度にするまでの時間を短縮することができる。
【００５５】
ここで、図６を参照して、制御回路部２７０の動作について説明する。図６は、表示装置２００の制御回路部２７０の動作について説明するためのフローチャートである。
【００５６】
まず、放電ランプ１１０が消灯され、且つ、放電ランプ１１０が冷却ファン１４０によって冷却され、点灯可能な状態（スタンバイモード）であるかどうか判断する（ステップ３００２）。スタンバイモードでない場合には、回転制御手段２７２に従って、通常モードの制御又は放電ランプ１１０の冷却制御を継続する（ステップ３００４）。
【００５７】
スタンバイモードである場合には、冷却ファン１４０が放電ランプ１１０を冷却している状態であるかどうか判断する（ステップ３００６）。冷却ファン１４０が放電ランプ１１０を冷却している状態であれば、回転制御手段２７２に従って、通常モードの制御又は放電ランプ１１０の冷却制御を継続する（ステップ３００４）。即ち、冷却ファン１４０が放電ランプ１１０を冷却している状態ではなく、且つ、放電ランプ１１０が消灯している状態において、冷却ファン１４０を駆動できるようにしている。
【００５８】
冷却ファン１４０が放電ランプ１１０を冷却している状態でなければ、操作部１７８を介して、冷却ファン１４０を駆動する駆動命令が入力されたかどうか判断する（ステップ３００８）。駆動命令が入力されていれば、冷却ファン１４０を駆動する（ステップ３０１０）。この際、冷却ファン１４０の回転速度（及び冷却時間）も同時に入力され、かかる回転速度（及び冷却時間）が設定される。冷却ファン１４０の回転速度も、上述したように、操作部１７８を介して設定することができる。
【００５９】
このように、放電ランプ１１０の消灯時に冷却ファン１４０を駆動することができるため、冷却ファン１４０による放電ランプ１１０の冷却が終了していながらも、例えば、片付けるには放電ランプ１１０の温度が高い場合において、強制的に冷却ファン１４０を駆動し、待ち時間を短縮することができる。
【００６０】
以上説明したように、本発明の表示装置によれば、放電ランプの消灯後のファン騒音を小さくすることを可能にすると共に、従来に比べて使い勝手を向上させることができる。
【００６１】
以上、本発明の好ましい実施例について説明したが、本発明はこれらの実施例に限定されないことはいうまでもなく、その要旨の範囲内で種々の変形及び変更が可能である。
【図面の簡単な説明】
【００６２】
【図１】本発明の一側面としての表示装置の構成を示す概略ブロック図である。
【図２】図１に示す表示装置の操作部の構成を模式的に示す概略平面図である。
【図３】図１に示す冷却ファンの回転速度と放電ランプの冷却時間の制御方法について説明するためのフローチャートである。
【図４】図１に示す放電ランプの冷却中に放電ランプの点灯命令が発生した場合の制御方法について説明するためのフローチャートである。
【図５】図１に示す表示装置の変形例である表示装置の構成を示す概略ブロック図である。
【図６】図５に示す表示装置の制御回路部の動作について説明するためのフローチャートである。
【符号の説明】
【００６３】
１００                表示装置
１１０                放電ランプ
１２０                バラスト
１３０                温度センサー
１４０                冷却ファン
１５０                画像投射部
１６０                電源部
１７０                制御回路部
１７２                メモリ
１７４                選択手段
１７６                決定手段
１７８                操作部
１７８ａ              電源スイッチ
１７８ｂ              メニューキー
１７８ｃ              十字キー
１７８ｄ              ＬＥＤ
１７８ｅ              スピーカー
２００                表示装置
２７０                制御回路部
２７２                回転制御手段
２７４                駆動手段
【図１】
2006106409.tif 000005
【図２】
2006106409.tif 000006
【図３】
2006106409.tif 000007
【図４】
2006106409.tif 000008
【図５】
2006106409.tif 000009
【図６】
2006106409.tif 000010